(57)【要約】【課題】  装置全体の小型化に大きく貢献し、低コストにて製造することができる新規な錠剤等の取出装置を提供する。【解決手段】  ＰＴＰシートＳの正面側に突出し内部に錠剤等Ｓ１が収納された凹部を裏面側に押圧するとともに回動軸３２に支持されてなる押圧ローラ３５，３６が複数形成され、これら複数の押圧ローラ３５，３６の間隔が調整軸３３の回動操作により上記凹部の間隔に対応するよう変更可能とされてなる錠剤等の取出装置において、上記回動軸３２の中心と上記調整軸３３の中心とは互いに同一とされてなる。【選択図】  図５
2005145515.tif 000002
【特許請求の範囲】
【請求項１】
ＰＴＰシートの正面側に突出し内部に錠剤等が収納された凹部を裏面側に押圧するとともに回動軸に支持されてなる押圧ローラが複数形成され、これら複数の押圧ローラの間隔が調整軸の回動操作により上記凹部の間隔に対応するよう変更可能とされてなる錠剤等の取出装置において、
上記回動軸の中心と上記調整軸の中心とは互いに同一とされてなることを特徴とする錠剤等の取出装置。
【請求項２】
前記回動軸の近傍には、該回動軸と平行となされた固定軸が配置され、この固定軸には、前記ＰＴＰシートを送り出す一方の送りローラが回動自在に配置され、上記回動軸には、上記一方の送りローラと協働してＰＴＰシートを挟みながら送り出す他方の送りローラが配置されてなるとともに、上記固定軸には、上記ＰＴＰシートをガイドする左右のガイド部材が該固定軸の長さ方向に移動自在に配置され、これら左右のガイド部材は、前記調整軸の回動操作により互いの間隔が変更可能とされてなることを特徴とする請求項１記載の錠剤等の取出装置。
【請求項３】
前記固定軸の左右両側には、該固定軸を前記回動軸方向に付勢する弾性材が配置されてなることを特徴とする請求項２記載の錠剤等の取出装置。
【請求項４】
前記回動軸は、中空状に成形されてなるとともに該回動軸の長さ方向には細長い開口が形成されてなり、
前記調整軸は、この回動軸内に回動自在に配置されてなるとともに、外周には、中央を境に一方には正ネジが他方には逆ネジがそれぞれ螺刻され、該正ネジと逆ネジには、それぞれ上記開口から回動軸の外部に突出してなる凸部が形成された一方及び他方のナットが螺着されてなり、
上記回動軸には、該回動軸の中央に回動自在に配置された前記他方の送りローラと、この他方の送りローラの左右両側にそれぞれ回動軸の長さ方向に移動自在に配置された一方及び他方の前記押圧ローラと、この一方の押圧ローラの外側に配置され内周面には上記一方のナットに形成された凸部に係合する凹部が形成された一方の移動ローラと、上記他方の押圧ローラの外側に配置され内周面には上記他方のナットに形成された凸部に係合する凹部が形成された他方の移動ローラと、を備え、
上記一方の押圧ローラの左右両側には、該一方の押圧ローラが常に上記一方の移動ローラと他方の送りローラとの間の中央に位置させる弾性材がそれぞれ配置され、上記他方の押圧ローラの左右両側には、該他方の押圧ローラが常に上記他方の移動ローラと他方の送りローラとの間の中央に位置させる弾性材がそれぞれ配置されてなることを特徴とする請求項２又は３記載の錠剤等の取出装置。
【請求項５】
前記一方及び他方の移動ローラの外周面には、リング状の係合凹部又は係合凸部の何れかが形成されてなるとともに、前記左右のガイド部材には、それぞれ上記係合凹部又は係合凸部に係合する係合凸部又は係合凹部が形成されてなることを特徴とする請求項４記載の錠剤等の取出装置。
【請求項６】
前記一方及び他方の移動ローラと、前記一方及び他方の押圧ローラと、前記他方の送りローラとには、それぞれ同一の内径とされた挿通孔が穿設され、これらの挿通孔には、歪防止ピンが挿通されてなることを特徴とする請求項５記載の錠剤等の取出装置。
【請求項７】
前記一方及び他方の移動ローラに形成された係合凹部又は係合凸部よりも他方の送りローラ側に位置する該一方及び他方の移動ローラの外周面は、前記左右のガイド部材に形成された係合凸部又は係合凹部よりも一方の送りローラ側に位置する面と協働して前記ＰＴＰシートの両側を挟む部位とされてなるとともに、該外周面には、一又は複数の突条がリング状に形成されてなることを特徴とする請求項５又は６記載の錠剤等の取出装置。
【請求項８】
前記左右のガイド部材には、前記一方及び他方の移動ローラの外周面と協働して前記ＰＴＰシートを挟むとともに回動自在となされた送りホイールが配置されてなることを特徴とする請求項４，５，６又は７記載の錠剤等の取出装置。
【発明の詳細な説明】
【技術分野】
【０００１】
本発明は、ＰＴＰ（プレススルーパック）シートの内部に収納された錠剤やカプセル（以下、錠剤等と言う。）を取り出す際に使用される錠剤等の取出装置に関するものである。
【背景技術】
【０００２】
ＰＴＰシートは、合成樹脂シートに多数の凹部を設け、これらの各凹部内に錠剤等を一定単位ずつ収納した後に、この合成樹脂シートにアルミ箔等のシールシートを貼付することにより該錠剤等を包装するものである。こうしたＰＴＰシートによれば、錠剤等が個別に包装され衛生的であるとともに、携帯性にも優れ、服用時には、上記凹部を押圧し上記シールシートを破ることにより簡単に取り出すことができることから、近年、錠剤等の包装として広く使用されている。
【０００３】
しかしながら、製薬会社により上記ＰＴＰシートに収納され出荷された錠剤等を病院や薬局において該ＰＴＰシートから取り出す場合は多い。こうした錠剤等の取り出し作業は、殆どは手作業により行われているのが実情であり、衛生的ではないばかりではなく、取出作業に長時間を要し、コストも高いものとなっている。そこで、従来では、こうした課題を解決するために、例えば、以下の特許文献１乃至４に開示された装置が提案されている。
【特許文献１】特公昭４９−２４３９９号公報
【特許文献２】実公昭５０−１４８４３号公報
【特許文献３】実開昭５８−１３４８４５号公報
【特許文献４】特開２００３−１８２７１０号公報
【発明の開示】
【発明が解決しようとする課題】
【０００４】
しかしながら、こうしたＰＴＰシートから錠剤等を取り出す際に使用される従来の装置では、隣り合う錠剤同士の間隔が製薬会社毎に異なることに配慮して、該錠剤を押し出すローラ同士の間隔を調整するために回動操作がされる軸と、ＰＴＰシートを送り出すローラを回転させるための軸とが、それぞれ間隔を設けて配置されていることから、装置全体が大型化してしまうこと避けられず、コスト高を招いている。
【０００５】
そこで、本発明は、上記従来の装置が有する課題を解決するために提案されたものであって、装置全体の小型化に大きく貢献し、低コストにて製造することができる新規な錠剤等の取出装置を提供することを目的とするものである。
【課題を解決するための手段】
【０００６】
本発明は、上記課題を解決するために提案されたものであって、第1の発明（請求項１記載の発明）は、ＰＴＰシートの正面側に突出し内部に錠剤等が収納された凹部を裏面側に押圧するとともに回動軸に支持されてなる押圧ローラが複数形成され、これら複数の押圧ローラの間隔が調整軸の回動操作により上記凹部の間隔に対応するよう変更可能とされてなる錠剤等の取出装置において、上記回動軸の中心と上記調整軸の中心とは互いに同一とされてなることを特徴とするものである。
【０００７】
この第１の発明においては、回動軸の中心と調整軸の中心とが互いに同一とされているが、これは円筒状とされた回動軸の中に調整軸が挿入されることにより互いの中心軸が同一とされても良く、或いはこれとは逆に、円筒状とされた調整軸内に回動軸が挿入されることにより互いの中心軸が同一とされても良い。
【０００８】
また、第２の発明（請求項２記載の発明）は、上記第１の発明において、前記回動軸の近傍には、該回動軸と平行となされた固定軸が配置され、この固定軸の中心には、前記ＰＴＰシートを送り出す一方の送りローラが回動自在に配置され、上記回動軸には、上記一方の送りローラと協働してＰＴＰシートを挟みながら送り出す他方の送りローラが配置されてなるとともに、上記固定軸には、上記ＰＴＰシートをガイドする左右のガイド部材が該固定軸の長さ方向に移動自在に配置され、これら左右のガイド部材は、前記調整軸の回動操作により互いの間隔が変更可能とされてなることを特徴とするものである。
【０００９】
また、第３の発明（請求項３記載の発明）は、上記第２の発明において、前記固定軸の左右両側には、該固定軸を前記回動軸方向に付勢する弾性材が配置されてなることを特徴とするものである。
【００１０】
また、第４の発明（請求項４記載の発明）は、上記第２又は第３の発明において、前記回動軸は、中空状に成形されてなるとともに該回動軸の長さ方向には細長い開口が形成されてなり、前記調整軸は、この回動軸内に回動自在に配置されてなるとともに、外周には、中央を境に一方には正ネジが他方には逆ネジがそれぞれ螺刻され、該正ネジと逆ネジには、それぞれ上記開口から回動軸の外部に突出してなる凸部が形成された一方及び他方のナットが螺着されてなり、上記回動軸には、該回動軸の中央に回動自在に配置された前記他方の送りローラと、この他方の送りローラの左右両側にそれぞれ回動軸の長さ方向に移動自在に配置された一方及び他方の前記押圧ローラと、この一方の押圧ローラの外側に配置され内周面には上記一方のナットに形成された凸部に係合する凹部が形成された一方の移動ローラと、上記他方の押圧ローラの外側に配置され内周面には上記他方のナットに形成された凸部に係合する凹部が形成された他方の移動ローラと、を備え、上記一方の押圧ローラの左右両側には、該一方の押圧ローラが常に上記一方の移動ローラと他方の送りローラとの間の中央に位置させる弾性材がそれぞれ配置され、上記他方の押圧ローラの左右両側には、該他方の押圧ローラが常に上記他方の移動ローラと他方の送りローラとの間の中央に位置させる弾性材がそれぞれ配置されてなることを特徴とするものである。
【００１１】
上記第４の発明（請求項４記載の発明）では、調整軸上に中央を境に一方には正ネジが他方には逆ネジが螺刻され、該正ネジと逆ネジ上にはそれぞれナットが螺着されてなることから、それぞれのナット自体を調整軸と共に回動しないように固定した上で該調整軸を回動した場合には、これらそれぞれの一方及び他方のナットは互いに離間するように、或いは、互いに接近するように移動する。そして、これら一方及び他方のナットには外部に突出してなる凸部が形成されており、また、この調整軸は中空状に成形されてなる回動軸内に回動可能に配置されてなり、該回動軸には長さ方向に細長い開口が形成されており、かつ、この回動軸の開口から上記ナットの凸部が外部に突出することから、この回動軸が回動しないように固定しつつ回動軸内で調整軸を回動した場合には、回動軸から突出するナットの凸部は回動軸の開口にガイドされつつ開口上を左右に互いに離間するように、或いは、互いに接近するように移動する。さらに、この回動軸に取り付けられた一方及び他方の移動ローラには凹部が形成されており、この凹部と上記ナットの凸部と係合することから、回動軸が回動しないように固定しつつ調整軸を回動した場合には、これら一方及び他方の移動ローラは回動軸上を左右に互いに離間するように、或いは、互いに接近するように移動する。したがって、調整軸を回動することにより、一方及び他方の移動ローラの間隔を、ＰＴＰシートの幅に合わせて調整することができる。そして、この回動軸上には、回動軸の長さの中央に位置する他方の送りローラと、この他方の送りローラの左右に位置する一方及び他方の押圧ローラと、一方の押圧ローラの左方に位置する一方の移動ローラと、他方の押圧ローラの右方に位置する他方の移動ローラと、が設けられているが、これらの一方の移動ローラと一方の押圧ローラとの間、一方の押圧ローラと他方の送りローラとの間、他方の送りローラと他方の押圧ローラとの間及び他方の押圧ローラと他方の移動ローラとの間には、それぞれのローラを押圧する弾性材が配置されていることから、一方の押圧ローラは一方の移動ローラと他方の送りローラの中央に位置し、また、他方の押圧ローラは他方の移動ローラと他方の送りローラの中央に位置する。また、一般的に用いられているＰＴＰシート内に収納される錠剤等は、このＰＴＰシートの中心から端部までの長さの約半分の箇所に位置している。このため、調整軸を回動することにより一方及び他方の移動ローラの間隔をＰＴＰシートの幅に合わせることにより、一方及び他方の押圧ローラは他方の送りローラと一方又は他方の移動ローラとの中央、すなわち、ＰＴＰシートの錠剤等が収納された凸部上に位置する。
【００１２】
また、第５の発明（請求項５記載の発明）は、上記第４の発明において、前記一方及び他方の移動ローラの外周面には、リング状の係合凹部又は係合凸部の何れかが形成されてなるとともに、前記左右のガイド部材には、それぞれ上記係合凹部又は係合凸部に係合する係合凸部又は係合凹部が形成されてなることを特徴とするものである。
【００１３】
上記第５の発明（請求項５記載の発明）では、前記一方及び他方の移動ローラの外周面に形成されたリング状の係合凹部又は係合凸部の何れかと、前記左右のガイド部材に形成された係合凸部又は係合凹部が形成されてなる。したがって、上記第４の発明ではこれら一方及び他方の移動ローラは調整軸の回動により左右されることから、本発明では、調整軸の回動により一方及び他方の移動ローラをＰＴＰシートの左右端部の位置に合わせて移動させる際には、同時に左右のガイド部材もこの調整軸の回動に伴って移動する。
【００１４】
また、第６の発明（請求項６記載の発明）は、上記第５の発明において、前記一方及び他方の移動ローラと、前記一方及び他方の押圧ローラと、前記他方の送りローラとには、それぞれ同一の内径とされた挿通孔が穿設され、これらの挿通孔には、歪防止ピンが挿通されてなることを特徴とするものである。
【００１５】
また、第７の発明（請求項７記載の発明）は、上記第５及び第６の発明において、前記一方及び他方の移動ローラに形成された係合凹部又は係合凸部よりも他方の送りローラ側に位置する該一方及び他方の移動ローラの外周面は、前記左右のガイド部材に形成された係合凸部又は係合凹部よりも一方の送りローラ側に位置する面と協働して前記ＰＴＰシートの両側を挟む部位とされてなるとともに、該外周面には、一又は複数の突条がリング状に形成されてなることを特徴とするものである。
【００１６】
また、第８の発明（請求項８記載の発明）は、上記第４、第５、第６又は第７の何れかの発明において、前記左右のガイド部材には、前記一方及び他方の移動ローラの外周面と協働して前記ＰＴＰシートを挟むとともに回動自在となされた送りホイールが配置されてなることを特徴とするものである。
【発明の効果】
【００１７】
上記第１の発明（請求項１記載の発明）では、この押圧ローラをＰＴＰシートの凹部の間隔に対応するように変更をするための調整軸は、中心が回動軸の中心と互いに同一とされてなることから、この錠剤等の取出装置でのＰＴＰシートの凹部の間隔を変更する機構を回動軸内に設けるものとなり、この錠剤等の取出装置を小さくすることができる。
【００１８】
上記第２の発明（請求項２記載の発明）では、一方の送りローラと他方の送りローラとが協働してＰＴＰシートを挟みながら送り出すものとされてなることから、回動軸上の他方の送りローラのみによって、ＰＴＰシートの一方の面のみに力を加える場合に比べ、より確実にＰＴＰシートを送り出すことができる。また、ＰＴＰシートが左右のガイド部材にガイドされながら送り出されることから、より確実に位置決めしながらＰＴＰシートを送り出すことができるとともに、ＰＴＰシートの凹部に押圧ローラを確実に押圧することができる。
【００１９】
上記第３の発明（請求項３記載の発明）では、固定軸が回動軸方向に弾性材により付勢されてなることから、ＰＴＰシートの厚みが異なる場合であっても確実に該ＰＴＰシートを送り出すことができる。
【００２０】
上記第４の発明（請求項４記載の発明）では、回動軸内に回動可能に配置され調整軸の回動操作により一方及び他方の押圧ローラの間隔を調整することができるように構成されていることから、第１の発明と同じように、装置全体の小型化を図ることができるばかりではなく、該一方及び他方の押圧ローラを移動させる際における歪や抵抗が極めて少なく、上記調整軸をスムーズに回動操作することができる。
【００２１】
上記第５の発明（請求項５記載の発明）では、調整軸を回動して操作することにより、一方及び他方の移動ローラのみならず、左右のガイド部材も同時に左右に動かしてＰＴＰシートの大きさに合わせて調節ができることから、左右のガイド部材の調整のために他の調整の装置を設ける必要が無くなり、この錠剤等の取出装置を小さくすることができる。
【００２２】
上記第６の発明（請求項６記載の発明）では、一方及び他方の移動ローラ、一方及び他方の押圧ローラ及び他方の送りローラには、歪防止ピンが挿通されてなることから、一方及び他方の移動ローラの移動に伴って移動する左右のガイド部材の抵抗により、該一方及び他方の移動ローラが移動不能となることを有効に防止することができる。すなわち、この第６の発明によれば、上記一方及び他方の移動ローラを移動させる際において、上記左右のガイド部材が抵抗となり、該一方及び他方の移動ローラが傾斜してしまい調整軸の回動操作が不能となる事態を、上記歪防止ピンにより防止することができる。
【００２３】
上記第７の発明（請求項７記載の発明）では、送り出されるＰＴＰシートの左右端部が、上記一方及び他方の移動ローラの外周面と左右のガイド部材との間に挟まれ、また、一方及び他方の移動ローラの外周面上には一又は複数の突条が形成されていることから、この突条がＰＴＰシートの左右端部に喰い込む。したがって、ＰＴＰシートの凹部を一方及び他方の押圧ローラによって押圧した場合にも、突条の喰い込みによってＰＴＰシートの左右端部が中心方向（一方及び他方の送りローラ方向）に移動することを防ぐことができ、したがって、一方及び他方の押圧ローラは確実に凹部を押圧することができ、このため、この錠剤等の取出装置によれば確実に錠剤等が取り出すことができる。
【００２４】
上記第８の発明（請求項８記載の発明）では、送り出されるＰＴＰシートの左右端部は、上記一方及び他方の移動ローラの外周面と送りホイールとの間に挟まれることから、ＰＴＰシートに形成された凹部に対して一方及び他方の押圧ローラによる押圧力を確実に作用させ錠剤を確実に取出すことができる。特に、上記第７の発明を構成する一方及び他方の移動ローラのように、外周面に一又は複数の突状が形成されている場合には、より一層上記送りホイールと協働してＰＴＰシートの左右両端を強固に挟むことができ、より確実に錠剤等を取出すことができる。
【発明を実施するための最良の形態】
【００２５】
以下、本発明に係る錠剤等の取出装置について、実施例を挙げて詳細に説明する。
【００２６】
この実施の形態に係る錠剤等の取出装置（以下、本装置と言う。）１は、図１に示すような外観を有しており、後述する駆動体３１及び従動体６１を納めるものであって、略直方体状とされた装置本体２が構成要素とされている。この装置本体２は、図２乃至図４に示すように、金属板を加工してなる左側板３，右側板４，底板５及び覆い板６から構成されている。これら左側板３及び右側板４は、長方形状に成形され、それぞれの下端に形成された取付片３ａ，４ａと底板５とがネジにより固定されている。これらのネジは、図２に示すように、ゴム脚５ａ，底板５及び左側板３の取付片３ａ（右側板４の取付片４ａ）を互いに固定するものである。また、これら左側板３と右側板４との間には、図２に示すように、正面側補強メンバー７と背面側補強メンバー８とがネジ止めされており、この装置本体２の強度を高めている。また、覆い板６は、一枚の金属板を折曲してなるものであって、この装置本体２の正面の中途から上端までに位置する正面板部６ａと、上面全体を覆う上面板部６ｂ及び背面全体を覆う背面板部６ｃの３面からなるものである。また、上記覆い板６は、図１に示すように左側板３及び右側板４の正面，上面及び背面から被さるように固定されている。この覆い板６は、この覆い板６の背面板部６ｃの下端左右に形成されたネジ穴と、左側板３及び右側板４の背面側に形成された取付片３ｂ，４ｂの下端に形成されたネジ穴を挿通するネジによるネジ止めと、この覆い板６の正面板部６ａの背面側に取り付けられた係合片２５と正面側補強メンバー７との係合により、左側板３，右側板４及び底板５に固定されている。なお、この覆い板６の上面板部６ｂの中央には、装置本体２の内部にＰＴＰシートを挿入するための挿入口９が形成されており、また、正面板部６ａの中央には、錠剤等が取り出されたＰＴＰシートが装置本体２の内部から排出される排出口１０が形成されており、正面板部６ａの背面の下端には、正面側補強メンバー７と係合する断面がＬ字状とされた係合片２５が固定され、また、上記挿入口９の背面側下面には、正面側下方に傾斜する長方形状の板体である舌片２６の基端が固定されている。また、この装置本体２の正面の中途から下端にかけては（上記覆い板の正面板部６ａの下方には）、後述する引出し１１が挿通される引出し用開口１２が形成されている。なお、この左側板３の内側（右側面）には、図２に示すように、左内面板１３が貼付されており、この左内面板１３には、開口１４，１５が形成されている。そして、この開口１４は円形状となされ、該開口１４には、後述する駆動体３１の左端に取り付けられた左軸受５１が固定されている。また、上記開口１５は、正面側斜め上方に向けて傾斜する略楕円形（長穴）とされており、該開口１５には、後述する従動体６１の固定軸６２の左端が嵌合されている。また、この開口１５の近傍には、針金状に成形された左弾性材１６の両端が固定される左弾性材固定片１７，１８が形成されている。また、この左側板３と同様に、上記右側板４の内側（左側面）には右内面板１９が貼付されており、この右内面板１９には、開口２０が形成されている。この開口２０は、右側板４に形成された開口４ｄと連通するものであって、開口４ｄよりも直径が大きくされており、この開口２０には、後述する駆動体３１の右端側中途部に取り付けられた右軸受５２が嵌合されている。なお、上記開口４ｄには、後述する駆動体３１の回動軸３２及び調整軸３３が挿通されている。また、上記開口２０の近傍には、前記開口１５に対応した図示しない開口（長穴）が形成され、この開口には、後述する従動体６１の固定軸６２の右端が嵌合されている。また、この開口は、上記開口１５と同様に、略楕円形とされており、この開口の近傍には、針金状に成形された右弾性材２２の両端を固定する右弾性材固定片２３，２４が形成されている。また、これら左側板３及び右側板４それぞれの背面側端部には、上述の通り、内側に向けて折り曲げられた幅の狭い取付片３ｂ，４ｂが形成されており、これら取付片３ｂ，４ｂそれぞれの上端近傍には、上記背面側補強メンバー８をネジ止めするためのネジ穴が形成されており、また、これら取付片３ｂ，４ｂそれぞれの下端近傍には、上記覆い板６の背面板部６ｃの下端近傍に形成されたネジ穴と対応するネジ穴が形成されている。また、これら左側板３及び右側板４それぞれの上端には、内側に向けて折り曲げられた取付片３ｃ，４ｃが形成されており、覆い板６を取り付けた際には、覆い板６の上面板部６ｂはこの取付片３ｃ，４ｃ上に載置される。また、左内面板１３及び右内面板１９それぞれの正面側端部には、内側に向けて折り曲げられた幅の狭い取付片１３ａ，１９ａが形成されており、上記正面側補強メンバー７は、これら取付片１３ａ，１９ａそれぞれの下端に形成されたネジ穴を挿通するネジにより固定されている。また、この正面側補強メンバー７には、図２及び図３に示すように、プラスチック製の板体である下方ガイド板２７が背面側に向けてネジ止めにより取り付けられている。この下方ガイド板２７は、後端に上方に向けられた凸部２７ａを有する略直方体状とされており、駆動体３１及び従動体６１の作動により錠剤等が取り出されたＰＴＰシートが引出し１１内に落下することを防ぐと共に、該ＰＴＰシートを前方の排出口１０に導くように下方から支えるものである。また、覆い板６の正面側の板部の下端背面側には、図３に示すように断面がＬ字状に成形された係合片２５が固定されており、この覆い板６を装置本体２に取り付けの際には、この係合片２５の背面側への突出部分が正面側補強メンバー７の下面に係合する。また、上記舌片２６は、長方形状の板体であって、正面側下方に向けて傾斜しており、上端は覆い板６の上面板部６ｂの裏面側であって挿入口９の背面側に固定され、下端はおよそ駆動体３１及び従動体６１それぞれを構成する各ローラの間に位置している。なお、上記引出し１１は、上方に開口が形成された直方体状のプラスチック製の箱体であって、正面には本装置１から取り出す際に用いられる摘み１１ａが取り付けられている。本装置１の駆動体３１及び従動体６１の作動によりＰＴＰシートから取り出された錠剤等は、この引出し１１内に落下する。
【００２７】
そして、上記左内面板１３と右内面板１９との間には、駆動体３１と、この駆動体３１の駆動により従動する従動体６１が配置されている。この駆動体３１は、図４乃至図７に示すように、回動軸３２，調整軸３３，駆動送りローラ３４，左押圧ローラ３５，右押圧ローラ３６，左移動ローラ３７，右移動ローラ３８，第１乃至第４のスプリング３９，４０，４１，４２、歪防止ピン４３，左ナット４４，右ナット４５，ハンドル４６，調整軸操作部材４７，左ナット蓋板４８，右ナット蓋板４９，ブッシュ５０，左軸受５１及び右軸受５２から構成されている。上記回動軸３２は、図６及び図７に示すように、円筒状に成形されてなるものであって、左端から右端近傍にかけてスリット３２ａが形成されている。なお、このスリット３２ａは、本発明を構成する開口である。また、この回動軸３２の右端近傍から右端にかけては、やや径が細くされたハンドル取付部３２ｂが形成されている。また、上記調整軸３３は、図６に示すように、金属製の丸棒であって、中心からやや左側の箇所から左端にかけては周面に左ネジ（正ネジ）３３ａが螺刻されており、中央からやや右側の箇所から右端側中途部にかけては周面に右ネジ（逆ネジ）３３ｂが螺刻されている。なお、この調整軸３３の右端側中途部から右端は、後述する調整軸操作部材４７が取り付けられる取付部３３ｃとされている。また、この調整軸３３は、図５に示すように、その中心が、上記回動軸３２の中心となるように、該回動軸３２内に挿通されており、上記左ネジ３３ａには左ナット４４が螺着され、上記右ネジ３３ｂには、右ナット４５が螺着されている。また、上記駆動送りローラ３４は、本発明を構成する他方の送りローラであって、中心に円形の開口３４ａを有する円環状の部材である。この駆動送りローラ３４の外周面は、多数の格子状の凹凸からなるローレット仕上げとされており、この外周面から中心に向けては、この駆動送りローラ３４を回動軸３２に固定する図示しないイモネジが螺入するイモネジ穴３４ｂが形成されており、また、中心から偏芯した位置には、左側面及び右側面を貫通して歪防止ピン４３が挿通されるピン穴３４ｃが形成されており、また、左側面及び右側面のそれぞれには、第２及び第３のスプリング４０，４１が係合する円環状の左スプリング溝３４ｄ及び右スプリング溝３４ｅが形成されている。また、左押圧ローラ３５及び右押圧ローラ３６は、互いに同一の構成とされており、中心に円形の開口３５ａ，３６ａを有する円環状の部材である。これら左押圧ローラ３５及び右押圧ローラ３６の外周面には、軸方向に長さを有する溝が多数形成されており、また、中心から偏芯した位置には、歪防止ピン４３が挿通されるピン穴３５ｂ，３６ｂが形成されている。また、左押圧ローラ３５の左側面及び右側面のそれぞれには、第１及び第２のスプリング３９，４０の端部が係合する円環状の左スプリング溝３５ｃ及び右スプリング溝３５ｄが形成されており、右押圧ローラ３６の左側面及び右側面のそれぞれには、第３及び第４のスプリング４１，４２が係合する円環状の左スプリング溝３６ｃ及び右スプリング溝３６ｄが形成されている。
【００２８】
また、上記左移動ローラ３７及び右移動ローラ３８は、上記駆動送りローラ３４を挟んで互いに対称な形状に成形されてなるものであって、中心に円形の開口３７ａ，３８ａを有する円環状の部材である。これらの開口３７ａ，３８ａの一側面側（左移動ローラ３７の左側面及び右移動ローラ３８の右側面）には、開口３７ａ，３８ａと中心が同一とされた円形の凹部である左ナット蓋板固定部３７ｂ（右ナット蓋板固定部３８ｂ）が形成されており、また、この左ナット蓋板固定部３７ｂ（右ナット蓋板固定部３８ｂ）の平面から反対面に向けては、２つの左ナット蓋板固定ネジ穴３７ｃ，３７ｃ（右ナット蓋板固定ネジ穴３８ｃ，３８ｃ）が形成されており、さらに同じ平面上には、この開口内に左ナット４４（右ナット４５）を入れた際にこれらに形成された凸部４４ｂ（４５ｂ）が係合する凹部３７ｄ（３８ｄ）が形成されている。また、左移動ローラ３７（右移動ローラ３８）の外周面上中央には、該外周面と平行に、後述する従動体６１を構成する左ガイド部材６４（右ガイド部材６５）の左係合凸部６４ｂ（右係合凸部６５ｂ）と係合する溝状の係合凹部３７ｅ（３８ｅ）が形成されており、また、同じくこれら左移動ローラ３７（右移動ローラ３８）の外周面上であって上記係合凹部３７ｅ（３８ｅ）よりも一方の側面（左移動ローラ３７ならば右側面、右移動ローラ３８ならば左側面）側の外周面上には、凹溝が２本刻まれて３本の突条３７ｆ，３８ｆが形成されている。また、上記左押圧ローラ３５や右押圧ローラ３６と同様に、中心から偏芯した位置には、歪防止ピン４３が挿通されるピン穴３７ｇ，３８ｇが形成されており、また、左移動ローラ３７の右側面上（右移動ローラ３８の左側面上）には、第１のスプリング３９が係合する円環状の右スプリング溝３７ｈ（第４のスプリング４２が係合する円環状の左スプリング溝３８ｈ）が形成されている。
【００２９】
また、上記第１乃至第４のスプリング３９，４０，４１，４２は、金属製のコイルスプリングであって、該第１のスプリング３９は、上記左移動ローラ３７と左押圧ローラ３５との間に配置され、上記第２のスプリング４０は、上記左押圧ローラ３５と上記駆動送りローラ３４との間に配置され、上記第３のスプリング４１は、上記駆動送りローラ３４と上記右押圧ローラ３６との間に配置され、上記第４のスプリング４２は、上記右押圧ローラ３６と上記右移動ローラ３８との間に配置されている。そして、これら第１乃至第４のスプリング３９，４０，４１，４２の端部は、それぞれのローラ３４，３５，３６，３７，３８の側面に形成されたスプリング溝（符号は省略する。）内に嵌合されている。また、上記歪防止ピン４３は、金属棒であって、上記駆動送りローラ３４，左押圧ローラ３５，右押圧ローラ３６，左移動ローラ３７，右移動ローラ３８それぞれに形成されたピン穴３４ｃ，３５ｂ，３６ｂ，３７ｇ，３８ｇに挿通されている。また、上記左ナット４４及び右ナット４５は、共に同じ構成であって、中心に円形状の開口４４ａ，４５ａを有し、該左ナット４４の内周面には、上記調整軸３３に螺刻された左ネジ３３ａに螺着されるネジ（符号は省略する。）が螺刻され、上気右ナット４５の内周面には、上記右ネジ３３ｂに螺着されるネジ（符号は省略する。）が螺刻されている。また、これら左ナット４４及び右ナット４５の外周面には、上述した回動軸３２に形成されたスリット３２ａを介して該回動軸３２の外側に突出するとともに上記右移動ローラ３７又は左移動ローラ３８に形成された凹部３７ｄ，３８ｄにも係合する凸部４４ｂ，４５ｂが形成されている。また、上記ハンドル４６は、図７に示すように、一端側に開口４６ｅが穿設され他端側には把手４６ｃが回動可能に配置されたハンドルレバー４６ａと、ハンドルホイール４６ｂとから構成されている。上記開口４６ｅは、前記回動軸３２の右端に形成されたハンドル取付部３２ｂが挿通される部位である。また、上記ハンドルホイール４６ｂは、合成樹脂により一体成形されてなるものであり、中心には、上記ハンドル取付部３２ｂが挿通される挿通穴４６ｇが形成され、また、左側面には、上記ハンドルレバー４６ａの一端側が収容される収容凹部４６ｈが形成されている。また、このハンドルホイール４６ｂの右側面には、上記挿通穴４６ｇを中心とした円環状の凸部４６ｆが形成されている。また、このハンドルホイール４６ｂは、ネジ（符号は省略する。）により上記ハンドルレバー４６ａに固定されてなるものであり、また、上記凸部４６ｆには、上記回動軸３２にハンドルホイール４６ｂを固定するためのイモネジ（符号は省略する。）が螺入されるイモネジ孔４６ｄが形成されている。また、このハンドルホイール４６ｂの右側には、調整軸操作部材４７が配置されている。この調整軸操作部材４７は、合成樹脂により一体成形されてなるものであって、左側面には、上記ハンドルホイール４６ｂに形成された凸部４６ｆが挿入される嵌合凹部４７ａが形成されており、さらにこの嵌合凹部４７ａの中心には上記調整軸３３を構成する取付部３３ｃの右端が嵌合される嵌合凹部４７ｂが形成されている。なお、この調整軸操作部材４７の外周面から上記嵌合凹部４７ｂには、調整軸３３とこの調整軸操作部材４７とを固定するイモネジ（符号は省略する。）が螺入されるイモネジ穴４７ｃが形成されている。
【００３０】
また、上記左ナット蓋板４８及び右ナット蓋板４９は、図６に示すように、共に同じ構成とされており、中心に円形の開口４８ａ，４９ａを有する円環状に成形した部材である。この左ナット蓋板４８及び右ナット蓋板４９の側面には、上述した左移動ローラ３７（右移動ローラ３８）に、該左ナット蓋板４８（右ナット蓋板４９）をネジ止めする２つのネジ穴４８ｂ，４８ｂ（４９ｂ，４９ｂ）が形成されている。なお，これら２つのネジ穴４８ｂ，４８ｂ（４９ｂ，４９ｂ）は、上記左移動ローラ３７（右移動ローラ３８）に形成された左ナット蓋板固定ネジ穴３７ｃ，３７ｃ（右ナット蓋板固定ネジ穴３８ｃ，３８ｃ）に対応する位置に形成されている。また、上記ブッシュ５０は、合成樹脂により一体成形されてなるものであって、上記回動軸３２の左端から該回動軸３２内に嵌合する嵌合部５０ｂと、この嵌合部５０ｂの基端に形成されたフランジ部５０ａと、中心に形成され上記回動軸３２内に挿通された上記調整軸３３の左端側が挿通される挿通穴５０ｃとから構成されている。また、左軸受５１及び右軸受５２は、中心に円形の開口５１ａ，５２ａを有する円環状の部材であって、該左軸受５１は、上記左内面板１３に形成された開口１４に固定されてなるとともに、内側には、上記ブッシュ５０を介して回動軸３２の左端を回動自在に支持する部材である。また、上記右軸受５２は、上記右内面板１９に形成された開口２０に固定されてなるとともに、内側には、上記回動軸３２の右端側中途部（上記スリット３２ａの右端とハンドル取付部３２ｂとの間）を回動自在に支持する部材である。
【００３１】
また、前記従動体６１は、図８に示すように、固定軸６２，従動送りローラ６３，左ガイド部材６４，右ガイド部材６５，左送りホイール６６及び右送りホイール６７から構成されている。この固定軸６２は、本発明を構成する固定軸であって、前記回動軸３２と平行に配置されてなるとともに、中央よりやや右側の外周には、円環状の溝部６２ａが形成されている。また、この固定軸６２には、従動送りローラ６３が回動自在に取り付けられている。この従動送りローラ６３は、本発明を構成する一方の送りローラであるとともに、前記駆動送りローラ３４と協働してＰＴＰシートを挟みながら送り出す部材である。この従動送りローラ６３の中心には、上記固定軸６２が挿通される挿通穴６３ｃが形成され、また、外周面には、ローレット仕上げが施されている。また、この従動送りローラ６３の右側面には、筒状部６３ｂが形成され、この筒状部６３ｂの外周には、該従動送りローラ６３の移動を規制する移動規制ピン６３ｄが螺着されるピン穴６３ｅが形成されている。移動規制ピン６３ｄは、このピン穴６３ｅ内に螺着することにより、先端が上記固定軸６２に形成された円環状の溝部６２ａ内に係合し、これによって、この従動送りローラ６３は固定軸６２に回動可能に取り付けられると共に、固定軸６２上を左右方向に移動することが規制される。また、上記従動送りローラ６３の左側には、左ガイド部材６４が配置され、また、右側には、右ガイド部材６５が配置されている。これら左ガイド部材６４及び右ガイド部材６５は、それぞれ合成樹脂により一体成形されてなるものであり、上記従動送りローラ６３を中心として対象形状に成形されている。そして、上記左ガイド部材６４の右側面には、図８に示すように、左傾斜面６４ａと左係合凸部６４ｂとが形成され、また、上記右ガイド部材６５には、右傾斜面６５ａと右係合凸部６５ｂが形成されている。これら左傾斜面６４ａ及び右傾斜面６５ａは、上記舌片２６と共にＰＴＰシートの両端及び端部近傍の裏面を支持するとともに、上記駆動体３１方向にＰＴＰシートをガイドするものである。また、この左傾斜面６４ａには、左ホイール収容部６４ｄが形成され、この左ホイール収容部６４ｄ内には、左送りホイール６６が回動自在に配置され、また、上記右傾斜面６５ａには、右ホイール収容部６５ｄが形成され、この右ホイール収容部６５ｄ内には、右送りホイール６７が回動自在に配置されている。この左送りホイール６６は、外周面の一部が外部に露出した状態で配置されてなるものであって、上記左移動ローラ３７の回動により従動する部材である。また、上記右送りホイール６７は、外周面の一部が外部に露出した状態で配置されてなるものであって、上記右移動ローラ３８の回動により従動する部材である。なお、これら左送りホイール６６及び右送りホイール６７の外周面には、上記左移動ローラ３７及び右移動ローラ３８に形成された突条３７ｆ，３８ｆと対応する突条６６ｂ，６７ｂが形成されているとともに、それぞれネジ６６ａ（右送りホイール６７に対応したネジは図示されていない。）により上記左ガイド部材６４の右側面又は右ガイド部材６５の左側面に取り付けられている。
【００３２】
また、上記左係合凸部６４ｂは、上記左ガイド部材６４の正面に形成されてなるものであり、上述の左移動ローラ３７の外周に形成された係合凹部３７ｅに係合する部位であり、また、上記右係合凸部６５ｂは、上記右ガイド部材６５の正面に形成されてなるものであり、上述の右移動ローラ３８の外周に形成された係合凹部３８ｅに係合する部位である。また、上記左ガイド部材６４及び右ガイド部材６５には、上記固定軸６２が挿通される挿通穴６４ｃ，６５ｃが形成され、これら左ガイド部材６４及び右ガイド部材６５は該固定軸６２上を左右に移動可能とされている。したがって、上記左移動ローラ３７及び右移動ローラ３８が左右に移動した場合には、これら左ガイド部材６４及び右ガイド部材６５も左右に移動する。なお、これら左ガイド部材６４及び右ガイド部材６５の正面側下端には、手前側に突出する下方ガイド部６４ｇ，６５ｇが形成されている。これら下方ガイド部６４ｇ，６５ｇは、上記下方ガイド板２７と共に、左傾斜面６４ａ及び右傾斜面６５ａに沿って下方に送り出されるＰＴＰシートを下方から支持しつつ正面側へ導き、排出口１０からこのＰＴＰシートを取出可能とする。
【００３３】
次に、本装置１の動作について説明する。図９に示す挿入口９から、ＰＴＰシートＳの先端が挿入されると、該ＰＴＰシートＳの裏面は、上記舌片２６により支持され、また、該ＰＴＰシートＳの両端は、上記左ガイド部材６４及び右ガイド部材６５に形成された左傾斜面６４ａ及び右傾斜面６５ａにガイドされながら、先端が上記駆動送りローラ３４と従動送りローラ６３との間に僅かに差し込まれるとともに、先端側左両端は、上記左移動ローラ３７の突条３７ｆと左ガイド部材６４の左傾斜面６４ａより露出する左送りホイール６６の突条６６ｂとの間に僅かに差し込まれ、また、先端側右両端は、上記右移動ローラ３８の突条３８ｆと右ガイド部材６５の左傾斜面６５ａより露出する右送りホイール６７の突条６７ｂとの間に僅かに差し込まれる。この状態において、上記ハンドル４６が図１中時計回り方向に回転させられると、上記従動体６１は、左弾性材１６及び右弾性材２２の弾性力によって駆動体３１方向に付勢されていることから、このＰＴＰシートＳの下端中央は駆動送りローラ３４と従動送りローラ６３とに挟持されるとともに、該ＰＴＰシートＳの左端側は左移動ローラ３７の突条３７ｆと左ガイド部材６４の左送りホイール６６の突条６６ｂとの間に、また、右端側は右移動ローラ３８の突条３８ｆと右ガイド部材６５の右送りホイール６７の突条６７ｂとの間にそれぞれ挟持されながら、上記排出口１０方向に移動させられる。このとき、上記ＰＴＰシートＳは、上記左押圧ローラ３５及び右押圧ローラ３６の外周面により、該ＰＴＰシートＳの凹部に収納された錠剤等Ｓ１が裏面側に押圧され、この押圧力によりシールシートが破られ、錠剤等Ｓ１が外部に押し出される。そして、この押し出された錠剤等Ｓ１は、上記引出し１１内に落下する。なお、ＰＴＰシートＳは常に一定の厚さのものであるとは限らないが、このように左弾性材１６及び右弾性材２２の作用により駆動体３１と従動体６１との間隔が変化するものとされていることから、本装置１によればＰＴＰシートＳが厚いものであっても薄いものであっても、上記凹部に対して適切に力を作用させることができ、錠剤等Ｓ１を取り出すことができる。また、本装置１では、上記駆動送りローラ３４と従動送りローラ６３の外周面にはローレット仕上げが施されていることから、ハンドル４６の回転操作は確実にＰＴＰシートＳに伝達される。
【００３４】
なお、上述の通り、ＰＴＰシートＳの左端側は左移動ローラ３７の突条３７ｆと左送りホイール６６の突条６６ｂとの間に挟持され、同様に、右端側は右移動ローラ３８の突条３８ｆと右送りホイール６７の突条６７ｂとの間に挟持されていることから、このＰＴＰシートＳ内に錠剤等Ｓ１が十分に落下せず一部の錠剤等Ｓ１が残留する事態を防ぐことができる。すなわち、本装置１によれば、ＰＴＰシートＳの左右両端側が、上記左押圧ローラ３５及び右押圧ローラ３６の押圧力により外れてしまい、このため、錠剤等Ｓ１に充分な力を作用させることができず、ＰＴＰシートＳ内に錠剤等Ｓ１が残留することを有効に防止することができる。また、これら左移動ローラ３７，右移動ローラ３８，左送りホイール６６及び右送りホイール６７は、何れもＰＴＰシートＳの左右両端側を挟持しつつ回動することから、ハンドル４６の回動操作は力を要しないものとなっている。なお、このような動作により錠剤等Ｓ１が取り出されたＰＴＰシートＳは、上記下方ガイド板２７及び下方ガイド部６４ｇ，６５ｇにより本装置１の正面側にガイドされ、上記覆い板６の正面に形成された排出口１０より外部に排出される。
【００３５】
また、ＰＴＰシートＳの幅が異なる場合には、調整軸操作部材４７を回動操作することにより、これら駆動体３１及び従動体６１をＰＴＰシートＳの幅に合わせて調節する。すなわち、調整軸操作部材４７が回動操作されると、上記左ナット４４及び右ナット４５は凸部４４ｂ，４５ｂが回動軸３２のスリット３２ａに係合することから、回転することなく互いに離間する方向または互いに接近する方向に移動し、この動作に伴って、上記左移動ローラ３７及び右移動ローラ３８も移動する。そして、上記左移動ローラ３７が移動すると、上記左押圧ローラ３５は、第１及び第２のスプリング３９，４０の弾性作用により、上記駆動送りローラ３４方向又はその反対側に移動し、同様に、上記右移動ローラ３８が移動すると、上記右押圧ローラ３６は、第３及び第４のスプリング４１，４２の弾性作用により上記駆動送りローラ３４方向またはその反対方向に移動する。また、こうした左移動ローラ３７や右移動ローラ３８の移動に伴い、上記左ガイド部材６４や右ガイド部材６５も移動する。したがって、本装置１によれば、どのようなサイズのＰＴＰシートＳであっても錠剤等Ｓ１を取り出すことができる。
【００３６】
なお、ここに述べた実施の形態に係る本装置１では、錠剤等Ｓ１を押圧する押圧ローラを２つ備えており、このため、本装置１により錠剤等Ｓ１の取り出し作業ができるＰＴＰシートＳは、錠剤等Ｓ１が収納された凹部が２列に並ぶ構成のものに限る。しかし、本発明に係る錠剤等の取出装置は、このように押圧ローラを２つ備えた物には限定されず、ＰＴＰシートの形状に応じて３つ以上の押圧ローラを備えたものとしても良い。また、ここに挙げた実施の形態に係る本装置１では、左移動ローラ３７及び右移動ローラ３８それぞれに係合凹部３７ｅ，３８ｅが形成されており、また、左ガイド部材６４及び右ガイド部材６５それぞれには、これら係合凹部３７ｅ，３８ｅに係合する左係合凸部６４ｂ及び右係合凸部６５ｂが形成されており、これらは互いに係合しあうものとなっている。しかし、左移動ローラ３７及び右移動ローラ３８それぞれに係合凸部を形成すると共に、左ガイド部材６４及び右ガイド部材６５それぞれにこれら係合凸部に係合する係合凹部が形成し、これらが互いに係合しあうことにより、左移動ローラ３７及び右移動ローラ３８の移動に伴い、左ガイド部材６４及び右ガイド部材６５が移動するものとされても良い。同様に、本装置１では、一方及び他方の移動ローラ、一方及び他方の押圧ローラ及び他方の送りローラに挿通する歪防止ピン４３を一本備えていることから、一方及び他方の移動ローラの移動に伴って移動する左右のガイド部材の抵抗により、該一方及び他方の移動ローラが傾斜して移動不能となることを有効に防止することができるが、このような歪防止ピン４３は一本とは限られず、複数備えるものとしても良い。
【００３７】
また、上記実施の形態に係る錠剤等の取出装置１では、左ガイド部材６４及び右ガイド部材６５に形成された各傾斜面６４ａ，６５ａのそれぞれには、左移動ローラ３７及び右移動ローラ３８の回動により従動する左送りホイール６６及び右送りホイール６７が配置されている。上述の通り、本装置１によりＰＴＰシートＳ内の錠剤等Ｓ１を取り出す際には、ハンドル４６を操作して回動軸３２を回動することにより、左移動ローラ３７及び右移動ローラ３８と左送りホイール６６及び右送りホイール６７は協働してＰＴＰシートＳの左右端部を挟持し、この左右端部が中心方向に移動することを防ぎつつ、該ＰＴＰシートＳを下方に送り出す。すなわち、このＰＴＰシートＳを下方に送り出す際には、左移動ローラ３７及び右移動ローラ３８が回動すると同時に、左送りホイール６６及び右送りホイール６７も回動することから、このハンドル４６の回動操作に要する力は非常に少ないものですむ。なお、本装置１は、このように左送りホイール６６及び右送りホイール６７を備えているが、これら左送りホイール６６及び右送りホイール６７を備えない構成としてもよい。この場合には、ハンドル４６の回動操作に要する力は増えるものの、ＰＴＰシートの左右端部が左移動ローラ３７及び右移動ローラ３８と左ガイド部材６４の左傾斜面６４ａ及び右ガイド部材６５の右傾斜面６５ａとの間に挟まれつつ下方に送り出される構成となり、ＰＴＰシートの左右端部が中心方向に移動することを防ぐことができる。
【図面の簡単な説明】
【００３８】
【図１】本発明の実施の形態に係る錠剤等の取出装置の外観を示す斜視図である。
【図２】本発明の実施の形態に係る錠剤等の取出装置の装置本体を示す分解斜視図である。
【図３】本発明の実施の形態に係る錠剤等の取出装置の側面断面図である。
【図４】本発明の実施の形態に係る錠剤等の取出装置の正面断面図である。
【図５】本発明の実施の形態に係る錠剤等の取出装置の駆動体の構成を示す断面図である。
【図６】本発明の実施の形態に係る錠剤等の取出装置の駆動体の構成を示す分解斜視図である。
【図７】本発明の実施の形態に係る錠剤等の取出装置の駆動体の構成を示す分解斜視図である。
【図８】本発明の実施の形態に係る錠剤等の取出装置の従動体の構成を示す分解斜視図である。
【符号の説明】
【００３９】
１    錠剤等の取出装置
１６    左弾性部材
２２    右弾性部材
３２    回動軸
３２ａ    スリット
３３    調整軸
３３ａ    左ネジ
３３ｂ    右ネジ
３４    駆動送りローラ
３４ｃ    ピン穴
３５    左押圧ローラ
３５ｂ    ピン穴
３６    右押圧ローラ
３６ｂ    ピン穴
３７    左移動ローラ
３７ｄ    凹部
３７ｅ    係合凹部
３７ｆ    突条
３７ｇ    ピン穴
３８    右移動ローラ
３８ｄ    凹部
３８ｅ    係合凹部
３８ｆ    突条
３８ｇ    ピン穴
３９    第１のスプリング
４０    第２のスプリング
４１    第３のスプリング
４２    第４のスプリング
４３    歪防止ピン
４４    左ナット
４４ｂ    凸部
４５    右ナット
４５ｂ    凸部
６２    固定軸
６３    従動送りローラ
６４    左ガイド部材
６４ａ    左傾斜面
６４ｂ    左係合凸部
６５    右ガイド部材
６５ａ    右傾斜面
６５ｂ    右係合凸部
６６    左送りホイール
６７    右送りホイール
Ｓ    ＰＴＰシート
Ｓ１    錠剤等
【図１】
2005145515.tif 000003
【図２】
2005145515.tif 000004
【図３】
2005145515.tif 000005
【図４】
2005145515.tif 000006
【図５】
2005145515.tif 000007
【図６】
2005145515.tif 000008
【図７】
2005145515.tif 000009
【図８】
2005145515.tif 000010